(57)【特許請求の範囲】
【請求項１】
宅内の浴室に所定の給湯設定温度の湯を供給する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記給湯設定温度の変更を禁止する浴室優先モードの設定と解除を行う優先モード設定部と、
前記浴室優先モードが解除されている場合は、前記給湯設定温度の変更を指示する前記指示信号に応じた前記熱源制御部による前記給湯設定温度の変更を許可し、前記浴室優先モードが設定されている場合には、前記給湯設定温度の変更を指示する前記指示信号に応じた前記熱源制御部による前記給湯設定温度の変更を禁止すると共に、前記浴室優先モードが設定されているために、前記給湯設定温度の変更操作が受付不可となっていることを報知する信号を、前記変更を指示した前記通信端末に前記通信部を介して送信する端末遠隔操作禁止部と
を備えたことを特徴とする熱源装置。
【請求項２】
宅内の浴室の浴槽に所定の風呂設定温度の湯を供給する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記風呂設定温度の変更を禁止する浴室優先モードの設定と解除を行う優先モード設定部と、
前記浴室優先モードが解除されている場合は、前記風呂設定温度の変更を指示する前記指示信号に応じた前記熱源制御部による前記風呂設定温度の変更を許可し、前記浴室優先モードが設定されている場合には、前記風呂設定温度の変更を指示する前記指示信号に応じた前記熱源制御部による前記風呂設定温度の変更を禁止すると共に、前記浴室優先モードが設定されているために、前記風呂設定温度の変更操作が受付不可となっていることを報知する信号を、前記変更を指示した前記通信端末に前記通信部を介して送信する端末遠隔操作禁止部と
を備えたことを特徴とする熱源装置。
【請求項３】
宅内の浴室の浴槽内の湯水を加熱する追焚き運転を実行する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記追焚き運転の実行の指示を禁止する浴室優先モードの設定と解除を行う優先モード設定部と、
前記浴室優先モードが解除されている場合は、前記追焚き運転の実行を指示する前記指示信号に応じた前記熱源制御部による前記追焚き運転の実行を許可し、前記浴室優先モードが設定されている場合には、前記追焚き運転の実行を指示する前記指示信号に応じた前記熱源制御部による前記追焚き運転の実行を禁止すると共に、前記浴室優先モードが設定されているために、前記追焚き運転の開始操作が受付不可となっていることを報知する信号を、前記追焚き運転の実行を指示した前記通信端末に前記通信部を介して送信する端末遠隔操作禁止部と
を備えたことを特徴とする熱源装置。
【発明の詳細な説明】
【技術分野】
【０００１】
本発明は、通信端末による遠隔操作が可能な熱源装置に関する。
【背景技術】
【０００２】
従来より、携帯電話等の通信端末の操作によって、宅内の家電機器を遠隔操作できるようにしたシステムが提案されている（例えば、特許文献１，２参照）。特許文献１，２に記載されたシステムによれば、使用者は、外出時にも通信端末を操作して宅内の家電機器を操作することができる。
【先行技術文献】
【特許文献】
【０００３】
【特許文献１】特開２００４−９６５９１号公報
【特許文献２】特開２００６−２５５０６３号公報
【発明の概要】
【発明が解決しようとする課題】
【０００４】
特許文献１，２に記載された遠隔操作のシステム構成を用いて、通信端末の操作により宅外から宅内の熱源装置（給湯装置、暖房装置等）を遠隔操作することが考えられる。しかしながら、本願発明者らは、宅内の熱源装置を宅外の通信端末によって遠隔操作した場合に、使用者が意図しない不都合が生じ得ることを知見した。
【０００５】
本発明はかかる背景に鑑みてなされたものであり、宅外の通信端末によって遠隔操作された場合に、使用者が意図しない不都合が生じることを防止した熱源装置を提供することを目的とする。
【課題を解決するための手段】
【０００６】
本発明は上記目的を達成するためになされたものであり、本発明の熱源装置の第１の態様は、
宅内の浴室に所定の給湯設定温度の湯を供給する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記給湯設定温度の変更を禁止する浴室優先モードの設定と解除を行う優先モード設定部と、
前記浴室優先モードが解除されている場合は、前記給湯設定温度の変更を指示する前記指示信号に応じた前記熱源制御部による前記給湯設定温度の変更を許可し、前記浴室優先モードが設定されている場合には、前記給湯設定温度の変更を指示する前記指示信号に応じた前記熱源制御部による前記給湯設定温度の変更を禁止すると共に、前記浴室優先モードが設定されているために、前記給湯設定温度の変更操作が受付不可となっていることを報知する信号を、前記変更を指示した前記通信端末に前記通信部を介して送信する端末遠隔操作禁止部と
を備えたことを特徴とする。
【００１０】
この構成において、前記浴室優先モードは、浴室外の在宅者が前記浴室外リモコンによって浴室への給湯温度を変更することを禁止するために、入浴者が設定するものである。そのため、前記浴室優先モードが設定されている場合に、前記通信端末の操作に応じて前記給湯設定温度を変更してしまうと、シャワー等により湯を使用している入浴者に熱さや冷たさによる不快感を与えるおそれがある。そこで、前記浴室優先モードが解除されていることを条件として、前記通信端末からの前記指示信号に応じた前記熱源制御部による前記給湯設定温度の変更を行うことにより、入浴者の意に反して前記給湯設定温度が変更されることを防止することができる。また、前記浴室優先モードが設定されているために、前記給湯設定温度の変更操作が受付不可となっていることを報知する信号を、前記通信部を介して前記通信端末に送信することにより、前記通信端末の使用者に対して、前記浴室優先モードが設定されているために前記給湯設定温度の変更操作が受付不可となっていることを認識させることができる。
【００１１】
次に、本発明の熱源装置の第２の態様は、
宅内の浴室の浴槽に所定の風呂設定温度の湯を供給する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記風呂設定温度の変更を禁止する浴室優先モードの設定と解除を行う優先モード設定部と、
前記浴室優先モードが解除されている場合は、前記風呂設定温度の変更を指示する前記指示信号に応じた前記熱源制御部による前記風呂設定温度の変更を許可し、前記浴室優先モードが設定されている場合には、前記風呂設定温度の変更を指示する前記指示信号に応じた前記熱源制御部による前記風呂設定温度の変更を禁止すると共に、前記浴室優先モードが設定されているために、前記風呂設定温度の変更操作が受付不可となっていることを報知する信号を、前記変更を指示した前記通信端末に前記通信部を介して送信する端末遠隔操作禁止部と 
を備えたことを特徴とする。
【００１２】
この構成において、前記浴室優先モードが設定されている場合に、前記通信端末の操作に応じて前記風呂設定温度を変更すると、浴槽につかっている入浴者が足し湯を行ったときに、入浴者に熱さ或いは冷たさによる不快感を与えるおそれがある。そこで、前記浴室優先モードが解除されていることを条件として、前記通信端末からの前記指示信号に応じた前記熱源制御部による前記風呂設定温度の変更を行うことにより、入浴者の意に反して前記風呂設定温度が変更されることを防止することができる。また、前記浴室優先モードが設定されているために、前記風呂設定温度の変更操作が受付不可となっていることを報知する信号を、前記通信部を介して前記通信端末に送信することにより、前記通信端末の使用者に対して、前記浴室優先モードが設定されているために前記風呂設定温度の変更操作が受付不可となっていることを認識させることができる。
【００１３】
次に、本発明の熱源装置の第３の態様は、
宅内の浴室の浴槽内の湯水を加熱する追焚き運転を実行する機能を有する熱源供給部と、通信ネットワークを介して通信端末との間で通信を行う通信部と、該通信部を介して該通信端末から受信した指示信号に応じて、該熱源供給部の作動を制御する熱源制御部とを備えた熱源装置において、
前記浴室に設けられて前記熱源装置を遠隔操作する浴室リモコンと、前記浴室外の前記宅内に設けられて前記熱源装置を遠隔操作する浴室外リモコンとのうち、該浴室外リモコンによる前記追焚き運転の実行の指示を禁止する浴室優先モードの設定と解除を行う優先モード設定部と、
前記浴室優先モードが解除されている場合は、前記追焚き運転の実行を指示する前記指示信号に応じた前記熱源制御部による前記追焚き運転の実行を許可し、前記浴室優先モードが設定されている場合には、前記追焚き運転の実行を指示する前記指示信号に応じた前記熱源制御部による前記追焚き運転の実行を禁止すると共に、前記浴室優先モードが設定されているために、前記追焚き運転の開始操作が受付不可となっていることを報知する信号を、前記追焚き運転の実行を指示した前記通信端末に前記通信部を介して送信する端末遠隔操作禁止部と
を備えたことを特徴とする。
【００１４】
この構成において、前記浴室優先モードが設定されている場合に、前記通信端末の操作に応じて前記追焚き運転が実行されると、浴槽につかっている入浴者に熱さによる不快感を与えてしまうおそれがある。そこで、前記浴室優先モードが解除されていることを条件として、前記通信端末からの前記指示信号に応じた前記熱源制御部による前記追焚き運転を行うことにより、入浴者の意に反して前記追焚き運転が実行されることを防止することができる。また、前記浴室優先モードが設定されているために、前記追焚き運転の開始操作が受付不可となっていることを報知する信号を、前記通信部を介して前記通信端末に送信することにより、前記通信端末の使用者に対して、前記浴室優先モードが設定されているために、前記追焚き運転の開始操作が受付不可となっていることを認識させることができる。
【図面の簡単な説明】
【００１９】
【図１】通信端末による遠隔操作が可能な熱源装置の構成図。
【図２】通信端末からの指示信号に応じて、給湯設定温度の変更の可否を決定する処理のフローチャート。
【図３】通信端末からの指示信号に応じて、風呂設定温度の変更の可否を決定する処理のフローチャート。
【図４】通信端末からの指示信号に応じて、追焚き運転の実行の可否を決定する処理のフローチャート。
【図５】通信端末からの指示信号に応じて、ミスト運転の実行の可否を決定する処理のフローチャート。
【発明を実施するための形態】
【００２０】
本発明の実施形態について、図１〜図５を参照して説明する。
【００２１】
［１．基本構成］
図１を参照して、本実施形態の熱源装置１の構成について説明する。熱源装置１は、家屋Ｈに設置され、熱源機１０と、熱源機１０を遠隔操作するための台所リモコン２０（本発明の浴室外リモコンに相当する）及び浴室リモコン３１と、浴室３の扉の開閉状態を検出する浴室扉開閉検出部３２とにより構成されている。
【００２２】
熱源機１０は、浴室３や台所等の所定箇所に湯を供給する給湯運転、浴室３の浴槽（図示しない）に湯を供給する湯張り運転、浴槽に湯を足す足し湯運転、浴槽内の湯水を加熱する追焚き運転、浴室暖房乾燥機３３，床暖房機２２等の暖房温水端末に湯を循環供給する暖房運転、浴室暖房乾燥機３３に備えられたミストユニット（図示しない）に湯を供給して浴室３内に霧状の湯を噴霧するミスト運転等を行う機能を有している。
【００２３】
熱源機１０は、熱源機１０の作動を制御するコントローラ１１、通信端末６０ａ，６０ｂとの間で通信を行う通信部１４、及び熱源供給部１５を備えている。熱源供給部１５は、上水道に接続された給水路から供給される水を加熱して給湯路に出湯する給湯ユニット（図示しない）と、浴槽内の湯水を浴槽に連通した追焚き循環路を介して循環させながら加熱する追焚きユニット（図示しない）と、暖房温水端末に連通した暖房循環路内の湯水を循環させながら加熱する暖房ユニット（図示しない）とを備えている。
【００２４】
通信部１４は、ルータ５１、通信中継装置５２、及び通信ネットワーク５０を介して、家屋Ｈの外部（宅外）に所在する通信端末６０ａとの間で通信を行う。また、通信部１４は、ルータ５１及び通信中継装置５２を介して、家屋Ｈ内（宅内）に所在する通信端末６０ｂとの間で通信を行う。
【００２５】
ここで、通信端末６０ａ，６０ｂは、スマートフォン、携帯電話、タブレット端末等の携帯型の通信端末であっても、ディスクトップ型パソコン等の据置型の通信端末であってもよい。
【００２６】
コントローラ１１は、図示しないＣＰＵ、メモリ、入出力インターフェース等によって構成された電子回路ユニットであり、メモリに保持された熱源機１０の制御用プログラムをＣＰＵで実行することによって、熱源制御部１１１、端末遠隔操作禁止部１１２、及び優先モード設定部１１３として機能する。
【００２７】
コントローラ１１は、浴室３に設置された浴室リモコン３１及び台所等の浴室以外の箇所に設置された台所リモコン２０（本発明の浴室外リモコンに相当する）と、通信可能に接続されており、浴室リモコン３１及び台所リモコン２０による熱源機１０の遠隔操作と、通信端末６０ａ，６０ｂによる熱源機１０の遠隔操作とを受け付ける。
【００２８】
熱源制御部１１１は、浴室リモコン３１、台所リモコン２０、及び通信端末６０ａ，６０ｂによる遠隔操作に応じて、熱源機１０の作動を制御する。優先モード設定部１１３は、浴室リモコン３１の操作に応じて、浴室優先モードの設定と解除を行う。
【００２９】
浴室優先モードは、台所リモコン２０の操作による、給湯設定温度（浴室３のシャワー等の給湯栓に供給する湯の設定温度）の変更、風呂設定温度（浴槽に供給する湯の設定温度）の変更、及び追焚き運転の実行の指示を禁止するモードである。
【００３０】
入浴者は、浴室リモコン３１を操作して浴室優先モードに設定し、他の在宅者が台所リモコン２０を操作して給湯設定温度の変更等を行うことを禁止しておくことによって、シャワーの使用中に給湯温度が変更されてしまう等の不都合を回避することができる。
【００３１】
浴室優先モードが解除されているときには、浴室リモコン３１と台所リモコン２０の双方により、給湯設定温度の変更、風呂設定温度の変更、及び追焚き運転の実行の指示が可能である。
【００３２】
端末遠隔操作禁止部１１２は、宅外の通信端末６０ａからの指示信号による熱源機１０の操作指示の受付を、所定条件下で禁止する。端末遠隔操作禁止部１１２による処理の詳細については後述する。
【００３３】
浴室扉開閉検出部３２は、浴室３の扉が閉じているか否かを、リミットスイッチ、遮光センサ等により検出する。コントローラ１１には、浴室扉開閉検出部３２による扉の開閉状態の検出信号が入力される。
【００３４】
また、コントローラ１１から出力される制御信号によって、浴室暖房乾燥機３３及び床暖房コントローラ２１の作動が制御される。浴室暖房乾燥機３３には、浴室暖房乾燥機３３の作動を指示するための浴暖リモコン３５が備えられている。
【００３５】
次に、図２〜図５に示したフローチャートに従って、端末遠隔操作禁止部１１２による処理について説明する。
【００３６】
［２．給湯設定温度の変更指示］
先ず、図２を参照して、宅外の通信端末６０ａから給湯設定温度の変更指示がなされた場合の端末遠隔操作禁止部１１２の処理について説明する。
【００３７】
図２のＳＴＥＰ１で、ルータ５１及び通信中継装置５２を介して、宅外の通信端末６０ａから給湯設定温度の変更を指示する指示信号を受信したときに、ＳＴＥＰ２に進む。ＳＴＥＰ２で、端末遠隔操作禁止部１１２は、浴室優先モードに設定されているか否かを判断する。
【００３８】
そして、浴室優先モードに設定されているときはＳＴＥＰ１０に分岐し、端末遠隔操作禁止部１１２は、通信端末６０ａに対して、操作受付不可を応答する信号を送信する。
【００３９】
これにより、浴室優先モードに設定されているときに、宅外の通信端末６０ａの操作によって給湯設定温度が変更されることが禁止される。この場合、端末遠隔操作禁止部１１２は、浴室優先モードが設定されているために、給湯設定温度の変更操作が受付不可となっていることを報知する信号を、通信端末６０ａに送信する。
【００４０】
一方、浴室優先モードに設定されていないとき（浴室優先モードが解除されているとき）にはＳＴＥＰ３に進み、端末遠隔操作禁止部１１２は、給湯設定温度の変更を許可する。これにより、熱源制御部１１１によって給湯設定温度が変更される。
【００４１】
［３．風呂設定温度の変更指示］
次に、図３を参照して、宅外の通信端末６０ａから風呂設定温度の変更指示がなされた場合の端末遠隔操作禁止部１１２による処理について説明する。
【００４２】
図３のＳＴＥＰ２０で、ルータ５１及び通信中継装置５２を介して、宅外の通信端末６０ａから風呂設定温度の変更を指示する指示信号を受信したときに、ＳＴＥＰ２１に進む。ＳＴＥＰ２１で、端末遠隔操作禁止部１１２は、浴室優先モードに設定されているか否かを判断する。
【００４３】
そして、浴室優先モードに設定されているときはＳＴＥＰ３０に分岐し、端末遠隔操作禁止部１１２は、通信端末６０ａに対して、操作受付不可を応答する信号を送信する。これにより、浴室優先モードに設定されているときに、宅外の通信端末６０ａの操作によって風呂設定温度が変更されることが禁止される。
【００４４】
この場合、端末遠隔操作禁止部１１２は、浴室優先モードが設定されているために、風呂設定温度の変更操作が受付不可となっていることを報知する信号を、通信端末６０ａに送信する。
【００４５】
一方、浴室優先モードに設定されていないとき（浴室優先モードが解除されているとき）にはＳＴＥＰ２２に進み、端末遠隔操作禁止部１１２は、風呂設定温度の変更を許可する。これにより、熱源制御部１１１によって風呂設定温度が変更される。
【００４６】
［４．追焚き運転の実行指示］
次に、図４を参照して、宅外の通信端末６０ａから追焚き運転の実行指示がなされた場合の端末遠隔操作禁止部１１２による処理について説明する。
【００４７】
図４のＳＴＥＰ４０で、ルータ５１及び通信中継装置５２を介して、宅外の通信端末６０ａから追焚き運転の実行を指示する指示信号を受信したときに、ＳＴＥＰ４１に進む。ＳＴＥＰ４１で、端末遠隔操作禁止部１１２は、浴室優先モードに設定されているか否かを判断する。
【００４８】
そして、浴室優先モードに設定されているときはＳＴＥＰ５０に分岐し、端末遠隔操作禁止部１１２は、通信端末６０ａに対して、操作受付不可を応答する信号を送信する。これにより、浴室優先モードに設定されているときに、宅外の通信端末６０ａの操作によって追焚き運転が実行されることが禁止される。
【００４９】
この場合、端末遠隔操作禁止部１１２は、浴室優先モードが設定されているために、追焚き運転の開始操作が受付不可となっていることを報知する信号を、通信端末６０ａに送信する。
【００５０】
一方、浴室優先モードに設定されていないとき（浴室優先モードが解除されているとき）にはＳＴＥＰ４２に進み、端末遠隔操作禁止部１１２は、追焚き運転の実行を許可する。これにより、熱源制御部１１１によって追焚き運転が実行される。
【００５１】
［５．ミスト運転の実行指示］
次に、図５を参照して、宅外の通信端末６０ａからミスト運転の実行指示がなされた場合の端末遠隔操作禁止部１１２による処理について説明する。
【００５２】
図５のＳＴＥＰ６０で、ルータ５１及び通信中継装置５２を介して、宅外の通信端末６０ａからミスト運転の実行を指示する指示信号を受信したときに、ＳＴＥＰ６１に進む。ＳＴＥＰ６１で、端末遠隔操作禁止部１１２は、浴室扉開閉検出部３２により、浴室３の扉が閉じていることが検出されているか否かを判断する。
【００５３】
そして、浴室３の扉が閉じていることが検出されていないときにはＳＴＥＰ７０に分岐し、端末遠隔操作禁止部１１２は、通信端末６０ａに対して、操作受付不可を応答する信号を送信する。これにより、浴室３の扉が開いた状態で、宅外の通信端末６０ａの操作に応じてミスト運転が実行されることが禁止される。
【００５４】
この場合、端末遠隔操作禁止部１１２は、浴室３の扉が閉じていないために、ミスト運転の開始操作が受付不可となっていることを報知する信号を、通信端末６０ａに送信する。
【００５５】
一方、浴室３の扉が閉じていることが検出されているときにはＳＴＥＰ６２に進み、端末遠隔操作禁止部１１２は、ミスト運転の実行を許可する。これにより、熱源制御部１１１によってミスト運転が実行される。
【００５６】
［６．その他の実施形態］
宅外の通信端末６０ａの操作により、浴室暖房乾燥機３３による暖房運転の実行を指示する指示信号が送信されたときにも、ミスト運転の実行指示がされたときと同様に、浴室３の扉が閉じていることが検出されていないときには、浴室暖房乾燥機３３による暖房運転の実行を禁止するようにしてもよい。
【００５７】
この構成によれば、浴室の扉が開いた状態で浴室の暖房が行われて、無駄なエネルギーが消費されることを防止することができる。
【００５８】
また、宅内の通信端末６０ｂから、給湯設定温度の変更、風呂設定温度の変更、追焚き運転の実行、ミスト運転の実行等を指示する指示信号を受信したときにも、宅外の通信端末６０ａから指示信号を受信したときと同様に、浴室優先モードに設定されているときには、給湯設定温度の変更、風呂設定温度の変更、及び追焚き運転の実行を禁止し、また、浴室の扉が閉まっていることが検出されていないときにはミスト運転の実行を禁止するようにしてもよい。
【符号の説明】
【００５９】
１…熱源装置、３…浴室、１０…熱源機、１１…コントローラ、２０…台所リモコン、２１…床暖房コントローラ、２２…床暖房機、３１…浴室リモコン、３２…浴室扉開閉検出部、３３…浴室暖房乾燥機、３５…浴暖リモコン、５０…通信ネットワーク、５１…ルータ、５２…通信中継装置、６０ａ…（宅外の）通信端末、６０ｂ…（宅内の）通信端末、１１１…熱源制御部、１１２…端末遠隔操作禁止部、１１３…優先モード設定部。
【図１】
0006203135.tif 000002
【図２】
0006203135.tif 000003
【図３】
0006203135.tif 000004
【図４】
0006203135.tif 000005
【図５】
0006203135.tif 000006